(57)【要約】【課題】通信の損失または電力の供給停止の場合に負荷補償デバイスのエアディフレクタを自動的に展開するための装置およびシステム。【解決手段】いくつかの実施形態において、この装置およびシステムは、ギヤを回転させ、それによって、エアディフレクタを展開するように構成されたバネを含むことが可能である。いくつかの実施形態において、バネはねじれバネであってよく、ラッチによって維持される保持位置から解放された際にギヤを回転させるように付勢されてよい。ラッチは、通信損失事象が発生すると作動するように構成可能であるソレノイドなどの解放機構によって制御可能である。解放機構は、ラッチを解放可能であり、それによって、バネを解放し、エアディフレクタを展開する。【選択図】図２
2014181711.tif 000002
【特許請求の範囲】
【請求項１】
通信損失事象が発生すると作動するように構成された解放装置と、
前記解放装置に接続され、前記解放装置の作動で解放されるように構成されたラッチと、
前記ラッチに接続され、前記ラッチが解放されると解放するように構成されたバネと、
前記バネに接続され、前記バネが解放されるとエアディフレクタを展開するように構成されたピンと、を含むエアディフレクタ解放装置。
【請求項２】
前記通信損失事象は停電である請求項１に記載のエアディフレクタ解放装置。
【請求項３】
前記通信損失事象は、前記エアディフレクタを展開および格納するように構成されたコントローラとの通信損失である請求項１に記載のエアディフレクタ解放装置。
【請求項４】
前記バネはねじりバネである請求項１に記載のエアディフレクタ解放装置。
【請求項５】
前記バネが解放されると前記エアディフレクタの展開を緩慢にするように構成されたダンパをさらに含む請求項１に記載のエアディフレクタ解放装置。
【請求項６】
前記ダンパは粘性を持つダンパである請求項５に記載のエアディフレクタ解放装置。
【請求項７】
前記バネの解放に先立って前記ピンの位置を維持するように構成された磁石をさらに含む請求項１に記載のエアディフレクタ解放装置。
【請求項８】
通信損失事象が発生すると解放されるように構成されたねじれバネを含み、
前記ねじりバネが解放されると、前記ねじれバネは、エアディフレクタを完全な延伸位置まで展開するように構成されたギヤを回転させるエアディフレクタ解放装置。
【請求項９】
前記エアディフレクタは風力タービンブレードに配置されている請求項８に記載のエアディフレクタ解放装置。
【請求項１０】
前記通信損失事象は、前記エアディフレクタの展開を制御するように構成されたコントローラへの通信の損失である請求項８に記載のエアディフレクタ解放装置。
【請求項１１】
前記エアディフレクタの展開を緩慢にするように構成されたダンパをさらに含む請求項８に記載のエアディフレクタ解放装置。
【請求項１２】
前記通信損失事象の発生に先立って前記バネの位置を維持するラッチをさらに含む請求項８に記載のエアディフレクタ解放装置。
【請求項１３】
前記ラッチは、前記通信損失事象が発生するとソレノイドによって解放される請求項１２に記載のエアディフレクタ解放装置。
【請求項１４】
前記ギヤは前記ギヤの表面から外側に延在する突起を含み、前記突起は連結用組立体に接触するように構成されたエアディフレクタ解放装置。
【請求項１５】
前記連結用組立体は、前記突起が回転して前記連結用組立体を延伸させるに従って前記エアディフレクタを展開する請求項１４に記載のエアディフレクタ解放装置。
【請求項１６】
通信損失事象が発生すると作動するように構成された解放装置と、
前記解放装置による解放によって展開するように構成された展開可能なデバイスと、を含む解放システム。
【請求項１７】
前記通信損失事象は、前記展開可能なデバイスを展開するように構成されたコントローラとの通信の損失と停電のうちの１つである請求項１６に記載の解放システム。
【請求項１８】
前記展開可能なデバイスは風力タービンブレード上のエアディフレクタである請求項１６に記載の解放システム。
【請求項１９】
前記解放装置は、
バネの解放によって回転可能なギヤであって、前記ギヤから延在し、連結用組立体に接触するように構成された突起を含むギヤと、
前記バネの位置を維持し、前記通信損失事象が発生すると前記位置から前記バネを解放するラッチと、
前記ラッチを前記バネとの係合位置に維持し、前記通信損失事象が発生すると前記係合位置から前記ラッチを解放する解放組立体と、を含み、
前記連結用組立体は前記バネの解放で前記展開可能なデバイスを展開するように構成されている請求項１６に記載の解放システム。
【請求項２０】
前記展開可能なデバイスは完全に延伸した位置まで展開される請求項１６に記載の解放システム。
【発明の詳細な説明】
【背景技術】
【０００１】
[0001]風力タービンはブレードが通過した面積に比例した電力を発電する。風力タービンにとって、直径などのロータの属性の選択は、弱い風でも多くのエネルギを生産する長いブレードと強い風での負荷を限定する短いブレードとの間で設計上の妥協点となっている。したがって、長いブレードを備えた風力タービンは通過する面積を増やし、それに応じてより多くの電力を生産する。しかし、大きな風速では、長いブレードを備えた風力タービンになるほど、その構成部品に対する要求が厳しくなり、構成部品への損傷を回避するために風力タービンを停止しなければならない状況が増える。平均風速が損傷を与えるほど大きくない状況でも、風の速度と方向の双方を変えてしまう周期的な突風がかける力は、設備を損傷するほどに強くなることがある。
【０００２】
[0002]風力タービンのいくつかの配置構成においては、風力タービンの負荷を最適化するためのディフレクタを使用している。しかし、通信または電力が停止した場合は、エアディフレクタの位置が性能に悪影響を及ぼす可能性がある。例えば、強い突風が吹くと、エアディフレクタが機能しないままロータブレードは様々な定格値（例えば、電力負荷定格値、疲労負荷定格値など）を超えてしまうことがある。しかし、電力または通信が停止した場合、エアディフレクタは必要に応じた展開または格納が可能とならないことがある。
【先行技術文献】
【特許文献】
【０００３】
【特許文献１】米国特許第６９０２３７０号明細書
【特許文献２】米国特許第８２６７６５４号明細書
【発明の概要】
【０００４】
[0003]本発明のいくつかの態様を基本的に理解するために、本発明の簡単な概要を以下に示す。この概要は本発明の広範な概略ではない。本発明の主要な、もしくは、重要な要素を識別すること、または、本発明の範囲を詳細に説明することは意図されていない。以下の概要は、後に提供するさらに詳細な説明の前置きとしての簡単な形で本発明のいくつかの概念を提示しているにすぎない。
【０００５】
[0004]本明細書に説明する配置構成の態様は、負荷反作用デバイス上のエアディフレクタのためのフェールセーフシステムを含む。いくつかの例において、フェールセーフシステムは、エアディフレクタを展開するように構成された連結部を含むことが可能である。この連結部は、ギヤに接続されたピンによって作動可能である。いくつかの配置構成において、ギヤは、ラッチが定位置に保持するバネによって回転させることが可能である。ラッチを開放すると、バネはギヤを回転させ、これによって、エアディフレクタを展開する。
【０００６】
[0005]添付の図面を検討しつつ以下の説明を参照することで、本発明およびその長所をより完全に理解することが可能となる。添付の図面では同様の参照番号が同様の部分を示す。
【図面の簡単な説明】
【０００７】
【図１】[0006]本明細書に説明する１つまたは複数の態様による風力タービンの斜視図である。
【図２】[0007] 本明細書に説明する１つまたは複数の態様による延伸位置におけるエアディフレクタを備えた第１の負荷補償デバイスを示すロータブレードの断面図である。
【図３】[0008] 本明細書に説明する１つまたは複数の態様による延伸位置におけるエアディフレクタを備えた第２の負荷補償デバイスを示すロータブレードの断面図である。
【図４】[0009]格納位置におけるエアディフレクタを備えた図２の負荷補償デバイスを示すロータブレードの等角断面図である。
【図５】延伸位置におけるエアディフレクタを備えた図２の負荷補償デバイスを示すロータブレードの等角断面図である。
【図６】[0010]本明細書に説明する１つまたは複数の態様による格納位置に示すエアディフレクタを備えた単独で示す負荷補償デバイスの例示的実施形態の等角図である。
【図７】本明細書に説明する１つまたは複数の態様による延伸位置に示すエアディフレクタを備えた単独で示す負荷補償デバイスの例示的実施形態の等角図である。
【図８】[0011]本明細書に説明するフェールセーフシステムに従って使用可能な突風補償デバイスの一例を示す図である。
【図９】[0012]本明細書に説明する１つまたは複数の態様による例示的なフェールセーフシステムの斜視図である。
【図１０】[0013]本明細書に説明する１つまたは複数の態様による図９のフェールセーフシステムの別の斜視図である。
【図１１】[0014]本明細書に説明する１つまたは複数の態様による他のフェールセーフシステムの概略図である。
【発明を実施するための形態】
【０００８】
[0015]様々な実施形態の以下の説明においては、本明細書の一部をなし、かつ、本発明を実施可能な様々な実施形態を例示の方法によって示す添付の図面を参照する。他の実施形態も利用可能であり、かつ、本発明の範囲を逸脱せずに構造上および機能上の改変を行うことが可能であることを理解されよう。
【０００９】
[0016]上記に検討したように、本明細書に説明する配置構成の態様は負荷補償デバイスのエアディフレクタなどの展開可能なデバイスのためのフェールセーフシステムに関する。いくつかの実施形態において、負荷補償デバイスは、風力タービンのブレードなどの翼型ロータブレードに搭載可能である。風力タービンブレードに搭載したエアディフレクタの状況においては、様々な態様の説明が可能である。しかし、フェールセーフシステムの態様は、本発明から逸脱せずに様々な応用例において実施可能である。例えば、本明細書に説明するシステムの態様は航空機、ロケット、ヘリコプタなどの１つまたは複数の応用例において本発明から逸脱せずに使用可能である。
【００１０】
[0017]図１はナセル８を支持するタワー６を備えた土台４上の風力タービン２を示す。１つまたは複数のブレード１０がボルトフランジ１４を介してハブ１２に装着されている。図示した実施形態において、風力タービンは３個のブレードを含んでいる。ハブ１２はナセル８内のギヤボックス、発電機、および、他の構成部品に接続されている。ブレード１０の長さは固定されてもよく、または、可変長タイプ、すなわち、図１に示すものなどの滑り出し式のものでもよい。図１に示したように、それぞれの可変長ブレード１０は翼付根または基部１６と、先端部１８と、を含んでいる。ロータブレード１０の長さを制御可能に増加および減少させ、その結果、ロータブレード１０の通過面積をそれぞれ増加および減少させるために、先端部１８は翼付根１６に関して可動である。翼付根１６に関して先端部１８を動かすために、ネジ式駆動、ピストンとシリンダ、または、プーリとウィンチによる装置などのいずれの所望の駆動システムも使用可能である。このような駆動システムは、参照により本明細書に組み込まれている米国特許第６９０２３７０号明細書に説明されている。風力タービン２は図示しない方向変更用の駆動装置およびモータをさらに含んでいる。
【００１１】
[0018]図２から図５は、少なくとも１つの負荷補償デバイス３０を含む風力タービンブレード１０の断面を示している。ブレード１０は前縁２０と、後縁２２と、高圧側面２４と、低圧側面２６と、を有する。翼弦線ｃは、ブレード１０の前縁２０と後縁２２との間の翼弦線として定義することができる。ロータブレード１０の前側がロータブレード１０の前半体に相当し、ロータブレード１０の後側がロータブレード１０の後半体に相当することを認識されよう。
【００１２】
[0019]図示したブレード１０は例示的な一断面設計にすぎない。また、本発明の一部として断面の無限の変形例が使用可能であることを認識されよう。翼型ロータブレードは、いずれの適した構造、ならびに、ガラス繊維および／または炭素繊維などのいずれの適した材料にても作成可能である。
【００１３】
[0020]図２および図３の断面において分かるように、ロータブレード１０は、全般には参照番号３０で参照するが、ロータブレード１０の特定の面を参照して詳細には参照番号３０ａおよび３０ｂで参照する少なくとも１つの負荷補償デバイスをさらに含んでいる。図２は、ロータブレード１０の低圧側面２６上の空気の流れに影響を与えるための第１の負荷補償デバイス３０ａの配置を示す。図３は、ロータブレード１０の高圧側面２４上の空気の流れに影響を与えるための第２の負荷補償デバイス３０ｂの配置を示す。使用において、さらに大きく湾曲した表面２６ａおよび反対側にある湾曲の小さい表面２４ａが、空気力学のよく知られている原理によって低圧側面２６および高圧側面２４の動力学を作り出すことを認識されよう。これが、ロータブレード１０上の空気の流れと組み合わされて、ロータの回転に役立つ「揚力」として知られる効果を作り出す。図示した位置は、負荷補償デバイスの様々な搭載位置の例にすぎない。１つまたは複数の負荷補償デバイスは、本発明から逸脱せずに様々な位置に設けることが可能である。さらに、本明細書に説明するフェールセーフシステムは、本発明から逸脱せずにいずれのタイプの負荷補償デバイスにもいずれの場所においても使用可能である。
【００１４】
[0021]一実施形態において、それぞれのロータブレード１０は、低圧側面２６上の空気の流れに影響を与えるための少なくとも１つの第１の負荷補償デバイス３０ａ、および、高圧側面２４上の空気の流れに影響を与えるための少なくとも１つの第２の負荷補償デバイス３０ｂを含んでいる。すなわち、ロータブレード１０は負荷補償デバイス３０ａおよび３０ｂを含み、これらのデバイス３０ａおよび３０ｂはロータブレード１０に沿って縦方向に間隔を空けることが可能である。いずれの所望の数のこれらのデバイス３０ａおよび３０ｂも使用可能である。他の実施形態において、それぞれのロータブレード１０は、低圧側面２６上の空気の流れに影響を与えるための少なくとも１つの負荷補償デバイス３０ａを含み、高圧側面２４上には負荷補償デバイスを含まない。いずれの所望の数のデバイス３０ａも低圧側面２６上で使用可能である。さらに他の実施形態において、それぞれのロータブレード１０は、高圧側面２４上に少なくとも１つの負荷補償デバイス３０ｂを含み、低圧側面２６上には負荷補償デバイスを含まない。いずれの所望の数のデバイス３０ｂも高圧側面２４上で使用可能である。
【００１５】
[0022]負荷補償デバイス３０ａおよび３０ｂのそれぞれはエアディフレクタ３２を含む。エアディフレクタ３２は、エアディフレクタ３２が翼型ロータブレード１０の外部表面から延伸した延伸位置と、エアディフレクタ３２が翼型ロータブレード１０の外部表面と実質的に同一表面上にあるか、この表面から引っ込んでいるか、または、その他でこの表面からほとんど延伸していない格納位置との間で可動である。図２および図３は双方とも延伸位置にあるエアディフレクタ３２を示し、エアディフレクタ３２はロータブレード１０の外部表面から延伸している。図４は負荷補償デバイス３０ａを示すロータブレード１０の等角断面図である。
【００１６】
[0023]第１の配置構成において、翼型ロータブレード１０の前縁２０および後縁２２に関したエアディフレクタ３２の位置は前半体にある、すなわち、前縁２０から後縁２２へブレード１０に垂直に測定して翼弦線ｃの長さの０％と５０％との間にある。他の配置構成において、翼型ロータブレード１０の前縁２０および後縁２２に関したエアディフレクタ３２の位置は、前縁２０から後縁２２へブレード１０に垂直に測定して翼弦線ｃの長さの５％と２５％との間にある。さらに他の配置構成において、翼型ロータブレード１０の前縁２０および後縁２２に関したエアディフレクタ３２の位置は、前縁２０から後縁２２へブレード１０に垂直に測定して翼弦線ｃの長さの５％と１５％との間にある。
【００１７】
[0024]エアディフレクタ３２は、所望の風力タービン状態パラメータに基づいて、かつ、使用する負荷補償デバイスの数を考慮して、サイズを決定可能である。エアディフレクタは、ガラス繊維、炭素繊維、ステンレス鋼、様々なプラスチック（ポリカーボネート、テフロン（登録商標）充填ポリカーボネートなど）、および／または、アルミニウムなどのいずれの適した材料からも作成可能である。エアディフレクタ３２は、例えば１３ｃｍ程度（数インチ）から１５０ｃｍ程度（数フィート）などのいずれの所望の幅のものでもよい。加えて、エアディフレクタ３２は、例えば翼弦線ｃ（図３）の１％未満から数％まで、翼表面からいずれの所望の高さにも延伸可能であり、選択した材料に基づいて代表的に２．５４ｃｍ（１インチ）未満などのいずれの適した厚さも有することが可能である。
【００１８】
[0025]図４および図５は、格納位置（図４）および延伸位置（図５）にあるエアディフレクタ３２を備えた低圧側面負荷補償デバイス３０を示すロータブレード１０の等角断面図である。負荷補償デバイス３０は、ロータブレード１０の表面輪郭を実質的に維持するようにインターフェイスによって適切に搭載する。これは、負荷補償デバイス３０およびブレード構造体の双方に固定して装着する１つまたは複数の輪郭付カバー板３４の使用によって達成可能である。代案として、負荷補償デバイス３０の前面は、適切に輪郭を付けてブレード構造体に固定する。他の配置構成において、負荷補償デバイス３０の前面はブレードの下側面に搭載可能である。金属製品および接着剤などの適した結束装置が使用可能である。
【００１９】
[0026]図６および図７は、格納位置（図６）および延伸位置（図７）において示すエアディフレクタ３２を備えた単独に取り出した負荷補償デバイス３０の例示的な実施形態の等角図を示す。第１の配置構成において、負荷補償デバイス３０は、第１および第２の部分３４ａおよび３４ｂから作成したフレーム３３を含んでいる。部分３４ａおよび３４ｂは、エアディフレクタ３２が走行する細孔３５を規定するように互いと接合している。所望であれば、第１および第２の部分３４ａおよび３４ｂの向かい合う縁部分は排気装置３６を含む。排気装置３６は、保持する圧縮空気を解放し、それによって、エアディフレクタ３２がもう１つの位置に戻る（例えば、格納または延伸する）ことを可能にするための圧縮空気式構成において（すなわち、エアディフレクタ３２を圧縮空気で作動する場合に）一般に使用する。いくつかの配置構成は排気装置３６を含まなくてもよく、代わりに、１つまたは複数の排水孔を含んでもよい。
【００２０】
[0027]負荷補償デバイスの展開可能なエアディフレクタは、これを搭載した風力タービンの動作の最適化を支援可能である。しかし、停電または他の通信障害の場合、エアディフレクタは翼型ロータブレードにかかる負荷に対処するために展開しなくてもよい。したがって、風力タービンの１つまたは複数の構成部品への被害の可能性が出てくる。なぜなら、翼型ロータブレードが自身の定格負荷などを超えてしまいかねないからである。
【００２１】
[0028]いくつかの例において、エアディフレクタは、負荷補償デバイスに局所的に配置したコントローラ、または、複数の負荷補償デバイスに接続したコントローラで中央で、制御可能である。コントローラは、風力タービンの動作を最適化するためにエアディフレクタを展開してよい。エアディフレクタ制御の態様は、参照により本明細書に組み込まれている米国特許第８２６７６５４号明細書に見出すことができる。
【００２２】
[0029]図８は負荷補償デバイス１００の一例を示す。負荷補償デバイス１００は翼型ロータブレード１０２に接続可能であり、筐体１０４と、（図８には示さない）エアディフレクタが展開する際に通過して延伸することができる開口部１０７を有するカバーシート１０６と、を含むことが可能である。通信の損失（例えば、コントローラの故障もしくはエアディフレクタとの通信途絶）または停電の場合、エアディフレクタは意図した通りには展開（または格納）しないことがある。上述のように、これが風力タービンの１つまたは複数の構成部品に定格値（負荷または疲労の定格値など）を超えさせることがあり、それによって、風力タービンの１つまたは複数の構成部品に損害をもたらすことになる。図９および図１０は、本明細書に説明する態様による通信事象（例えば、通信の損失、停電など）の間にエアディフレクタを展開（または格納）するためのエアディフレクタフェールセーフシステム２００の一例を示す。
【００２３】
[0030]いくつかの例において、本明細書に説明するフェールセーフシステムは負荷補償デバイス（図８の１００）の筐体（図８の筐体１０４など）の内部に収容可能である。いくつかの例において、フェールセーフシステムに伴う重さおよびサイズを低減することは、筐体および負荷補償デバイスのコンパクトさを維持または向上するために有利である。したがって、本明細書に説明するフェールセーフシステムは、構成部品に伴う重さとサイズを最小に抑えるために努力を重ねている。
【００２４】
[0031]図９および図１０をさらに参照すると、フェールセーフシステム２００は解放機構２０２を含むことが可能である。いくつかの例において、解放機構２０２はソレノイドであってよい。解放機構２０２は、通信事象（例えば、通信の損失、停電など）が発生すると作動するように構成可能である。解放機構２０２はラッチ２０４に接続可能である。ラッチ２０４はいずれの適したラッチ機構であってもよい。例えば、ラッチ２０４はバーを含んでよく、このバーは、ソレノイドまたは解放機構２０２が第１の位置にある時に、バネ２０６の位置を維持するようにこのバネまたは（以下にさらに完全に検討する）他のデバイスと接触可能であり、ソレノイドまたは解放機構２０２が第２の位置にある時には、バネ２０６には接触しなくてもよく、代わりに、バネ２０６を解放することが可能となる。他の例において、ラッチまたはラッチの部分は磁性を持ってもよい。
【００２５】
[0032]上述のように、ラッチ２０４はバネ２０６を制御可能である。いくつかの例において、バネは、ねじりバネ（例えば、螺旋ねじりバネ）であってよく、かつ、解放されると、ギヤ２０８ａから２０８ｃなどのギヤまたはギヤシステムを回転させるために付勢可能である。ギヤ２０８はエアディフレクタ２２０を強制的に展開するために回転するように構成可能である。いくつかの例において、ギヤ２０８はギヤ２０８ｃの表面から外側に延在するピンまたは他の突起２１０を含むことが可能である。いくつかの例において、突起２１０は回転中の連結用組立体２１２に接触するように構成可能である。連結用組立体２１２はエアディフレクタ２２０に接続可能でありまた延伸可能であり、それによって、エアディフレクタ２２０を展開することが可能である。いくつかの例において、エアディフレクタ２２０は、フェールセーフシステム２００を使用して展開した際に、完全に延伸した位置まで展開可能である。
【００２６】
[0033]いくつかの例において、フェールセーフシステム２００はダンパ２３０を含むことが可能である。ダンパは、損傷などを防止するために、エアディフレクタ２２０の展開を緩慢にするように構成可能である。例えば、バネ２０６の解放がエアディフレクタ２２０を突然に完全に展開させるので、エアディフレクタ２２０、または、システム２００もしくは負荷作動デバイスの１つもしくは複数の構成部品は、この突然の動きによって損傷することがある。したがって、ダンパ２３０は、ギヤ２０８の回転を緩慢にするために使用可能であり、かつ、それによっていかなる損傷も最小に抑えるか、または、回避するように、エアディフレクタ２２０の展開を緩慢にする。
【００２７】
[0034]図９および図１０に示すように、フェールセーフシステム２００の構成部品は比較的小型であり、ガラス繊維、炭素繊維、または、他の複合材料、アルミニウム、鉄鋼、ステンレス鋼、プラスチック、青銅などの軽量材料で形成可能である。したがって、フェールセーフシステム２００の構成部品は、負荷補償デバイスの筐体（図８の筐体１０４など）内に嵌め込みが可能である。
【００２８】
[0035]いくつかの例において、フェールセーフシステム２００は、通信損失事象が発生すると作動され得る。例えば、（例えば、ネットワーク事象などによって）１つまたは複数のコントローラと１つまたは複数のエアディフレクタとの間の通信が停止した場合、フェールセーフシステム２００は、上記に検討した翼型ロータブレードが１つまたは複数の動作限界を超えることを低減または排除するために作動し、エアディフレクタ２２０を展開する。他の例において、風力タービンに停電があった場合、フェールセーフシステム２００は、同様に、定格限度を超えたことによる風力タービンの構成部品へのいかなる損傷も回避するために作動可能であり、エアディフレクタ２２０を展開可能である。
【００２９】
[0036]通信損失事象は、解放機構２０２にラッチ２０４を解放させる。例えば、通信損失事象は、バネ２０６からラッチ２０４を引き離すためにソレノイド２０２を作動可能である。バネ２０６からラッチ２０４を引き離すことはバネ２０６を解放し、それによって、ギヤシステム２０８を回転させ、エアディフレクタ２２０を展開させる。上記に検討したように、エアディフレクタ２２０は、フェールセーフシステム２００を使用して展開すると、完全に延伸した位置まで展開可能である。いくつかの例において、完全に展開した位置は５０ｍｍから６０ｍｍであってよい。
【００３０】
[0037]フェールセーフシステム２００を使用してエアディフレクタ２２０を展開する状況において、いくつかの例および配置構成を検討したが、エアディフレクタ２２０は、本発明から逸脱せずに、同様のフェールセーフ装置を使用して格納も可能である。例えば、バネ２０６は（例えば、エアディフレクタ２２０が既に展開している時に）ギヤ２０８を逆の方向に回転させるように構成可能である。ここで、ギヤ２０８の回転はエアディフレクタ２２０を格納可能である。この配置構成は、例えば、負荷の低減が不要であり、かつ、展開したエアディフレクタ２２０が風力タービンの抵抗を増加させて電力出力を低減する状況において使用可能である。したがって、通信損失事象の際には、これらの状況、および、恐らく他の状況においても、エアディフレクタ２２０を格納することが有利となる。
【００３１】
[0038]いくつかの例において、フェールセーフシステム２００はさらに磁石２４０を含むことが可能である。磁石２４０はギヤ２０８ｃに接触（または緊密に接近）していてよく、かつ、フェールセーフシステム２００によって作動されない限りピンまたは突起２１０が連結用組立体２１２に接触しないように、ギヤ２０８ｃの位置を維持可能である。例えば、通常の条件下でモータがフェールセーフ機構の質量を作動しなければならないことを防止するために、磁石２４０は、通常の動作中に突起２１０が邪魔にならない所に来る位置に、ギヤ２０８ｃを保持可能である。
【００３２】
[0039]図１１はフェールセーフシステム３００の他の例を示す。フェールセーフシステム３００はエアディフレクタ３２０に接続され、かつ、通信損失事象の間にエアディフレクタ３２０を展開するために、一連のプーリ３５０ａから３５０ｅならびに形状記憶合金で作成したワイヤ３６０を使用可能である。例えば、ワイヤ３６０は、加熱された際にその本来の冷間鍛造した形状に戻るように（この配置構成では収縮してもよい）構成可能である。ワイヤ３６０が加熱されると、ワイヤ３６０はプーリ３５０ａから３５０ｅに沿って収縮可能であり、それによって、エアディフレクタ３２０を上方に移動（例えば展開）させる。したがって、通信損失事象の間、ワイヤ３６０は収縮するように加熱可能であり、それによって、エアディフレクタ３２０を展開する。
【００３３】
[0040]ワイヤ３６０は様々な形状記憶材料で作成可能である。いくつかの例において、ワイヤは銅アルミニウムニッケル合金、ニッケルチタン合金などで形成可能である。いくつかの例において、ワイヤ３６０は亜鉛、銅、金、および、鉄で形成した合金で形成可能である。
【００３４】
[0041]上記に検討したように、本明細書に説明したフェールセーフシステムは、風力タービンブレード上などで負荷補償デバイス内のエアディフレクタを展開または格納するために、いくつかの例において使用可能である。しかし、フェールセーフシステムは、他のタイプの翼（例えば、航空機の翼、ヘリコプタのロータ、ボートのスクリュー、ロケットなど）で、および、様々な他の構成部品を展開および／または格納することによってなど、様々な応用例でも使用可能である。
【００３５】
[0042]１つまたは複数のフェールセーフシステムは、空気圧または油圧の手段（例えば、空気圧／油圧のシリンダ）、磁気レール、電気的手段などを使用しても作動可能である。さらに、本明細書に説明したシステムは、本発明から逸脱せずにこれらの代案の１つまたは複数と組み合わせて使用可能である。
【００３６】
[0043]本主題は構造上の特徴および／または方法論的行為に固有な文言で説明されたが、添付の特許請求の範囲に定義された本主題が必ずしも上述の特定の特徴または行為に限定されないことを理解されたい。むしろ、上述の特定の特徴または行為は、特許請求の範囲を実施する例示的形態として開示されたものである。
【符号の説明】
【００３７】
２  風力タービン
４  土台
６  タワー
８  ナセル
１０、１０２  ブレード
１２  ハブ
１４  ボルトフランジ
２４  高圧側面
２６  低圧側面
３０、３０ａ、３０ｂ、１００  負荷補償デバイス
３２、２２０、３２０  エアディフレクタ
３３  フレーム
３４  カバー板
３４ａ、３４ｂ  部分
３５  細孔
３６  排気装置
１０４  筐体
１０６  カバーシート
２００、３００  フェールセーフシステム
２０２  解放機構
２０４  ラッチ
２０６  バネ
２１２  連結用組立体
３５０  プーリ
３６０  ワイヤ
【図１】
2014181711.tif 000003
【図２】
2014181711.tif 000004
【図３】
2014181711.tif 000005
【図４】
2014181711.tif 000006
【図５】
2014181711.tif 000007
【図６】
2014181711.tif 000008
【図７】
2014181711.tif 000009
【図１１】
2014181711.tif 000010
【図８】
2014181711.tif 000011
【図９】
2014181711.tif 000012
【図１０】
2014181711.tif 000013
【外国語明細書】
2014181711000001.pdf